(57)【要約】【課題】接触することが可能な低温の場合と注意を要する高温の場合とを適切に区別表示することで整備などの作業性を向上できる作業機械を提供する。【解決手段】動力装置の側部開閉カバー５の下部内側に、整備作業などのときに用いる取手８を設ける。この側部開閉カバー５の取手８は、動力装置の稼働により高温になる可能性を有するとともに外部に露出可能な部分であるから、この側部開閉カバー５の取手近傍部分に、高温時の発色により警告表示をする表示装置11を設ける。この表示装置11は、側部開閉カバー５の表示対象面5aに粘着剤などにより貼付するシール本体11aと、このシール本体11aに塗布した高温時の発色により警告表示をする表示部11bとを備えている。【選択図】図１
2007186863.tif 000002
【特許請求の範囲】
【請求項１】
機体と、
機体に搭載された作業装置と、
機体および作業装置に作動流体を供給する動力装置と、
動力装置の稼働により高温になる可能性を有するとともに外部に露出可能な部分に設けられ高温時に発色および変色の少なくとも一方により警告表示をする表示装置と
を具備したことを特徴とする作業機械。
【請求項２】
動力装置は、
流体圧ポンプを収納したポンプ室と、
ポンプ室を覆うようにかつ開閉自在に設けられた側部開閉カバーと、
側部開閉カバーの内側に設けられた取手とを具備し、
表示装置は、側部開閉カバーの取手近傍部分および取手の少なくとも一方に設けられた
ことを特徴とする請求項１記載の作業機械。
【請求項３】
表示装置は、
表示対象面に貼付されるシール本体と、
シール本体に塗布されて高温時に発色および変色の少なくとも一方により警告表示をする表示部と
を具備したことを特徴とする請求項１または２記載の作業機械。
【請求項４】
表示装置は、表示対象面に塗布されて高温時に発色および変色の少なくとも一方により警告表示をする表示部
を具備したことを特徴とする請求項１または２記載の作業機械。
【請求項５】
表示装置は、高温時に表示内容が現われる
ことを特徴とする請求項１乃至４のいずれか記載の作業機械。
【請求項６】
表示装置は、高温時に表示内容が変化する
ことを特徴とする請求項１乃至４のいずれか記載の作業機械。
【発明の詳細な説明】
【技術分野】
【０００１】
本発明は、高温部分を警告表示可能な作業機械に関する。
【背景技術】
【０００２】
図３に示されるように、作業機械１は、機体２に作業装置３および動力装置４が搭載され、この動力装置４は、エンジンにより駆動される油圧ポンプから機体２および作業装置３の各油圧アクチュエータに作動油を供給している。油圧ポンプは、開閉可能な側部開閉カバー５の内側に形成されたポンプ室に収納されている。すなわち、動力装置４の油圧ポンプが設置されたポンプ室は、通常は側部開閉カバー５により覆われている（例えば、特許文献１参照）。
【０００３】
整備時は、図４に示されるように側部開閉カバー５を開けてポンプ室６を開放し、このポンプ室６内に設置された油圧ポンプ７およびその周辺をメンテナンスすることがあり、側部開閉カバー５の内側には、整備時に使用する取手８が設置されている。
【０００４】
このようなポンプ室６などは、機械稼働中または稼働停止直後は高温となっていることがあり、このポンプ室６などの高温になる箇所に臨んだ取手８も熱くなる場合があり、その場合を想定して、取手８が熱くなることを警告する警告表示板９を取手８の近傍などに貼付するなどの対応をしている。
【特許文献１】特開２００１−３２３５０１号公報（第４頁、図２−３）
【発明の開示】
【発明が解決しようとする課題】
【０００５】
しかし、取手８が熱くなるのは限られた条件でのことで、その他の条件では必ずしも熱くならないので、作業性を考慮すると、常に熱さ対策を求める注意をする必要はない。また、実際に触ってみないと、取手８が熱いかどうかは分からず、取手８を使う上で不便である。
【０００６】
本発明は、このような点に鑑みなされたもので、接触することが可能な低温の場合と注意を要する高温の場合とを適切に区別表示することで整備などの作業性を向上できる作業機械を提供することを目的とする。
【課題を解決するための手段】
【０００７】
請求項１記載の発明は、機体と、機体に搭載された作業装置と、機体および作業装置に作動流体を供給する動力装置と、動力装置の稼働により高温になる可能性を有するとともに外部に露出可能な部分に設けられ高温時に発色および変色の少なくとも一方により警告表示をする表示装置とを具備した作業機械である。
【０００８】
請求項２記載の発明は、請求項１記載の作業機械における動力装置が、流体圧ポンプを収納したポンプ室と、ポンプ室を覆うようにかつ開閉自在に設けられた側部開閉カバーと、側部開閉カバーの内側に設けられた取手とを具備し、表示装置は、側部開閉カバーの取手近傍部分および取手の少なくとも一方に設けられたものである。
【０００９】
請求項３記載の発明は、請求項１または２記載の作業機械における表示装置が、表示対象面に貼付されるシール本体と、シール本体に塗布されて高温時に発色および変色の少なくとも一方により警告表示をする表示部とを具備したものである。
【００１０】
請求項４記載の発明は、請求項１または２記載の作業機械における表示装置が、表示対象面に塗布されて高温時に発色および変色の少なくとも一方により警告表示をする表示部を具備したものである。
【００１１】
請求項５記載の発明は、請求項１乃至４のいずれか記載の作業機械における表示装置が、高温時に表示内容が現われるものである。
【００１２】
請求項６記載の発明は、請求項１乃至４のいずれか記載の作業機械における表示装置が、高温時に表示内容が変化するものである。
【発明の効果】
【００１３】
請求項１記載の発明によれば、動力装置の稼働により高温になる可能性を有するとともに外部に露出可能な部分に設けられた表示装置が、高温時に発色および変色の少なくとも一方により警告表示をすることで、接触することが可能な低温の場合と注意を要する高温の場合とを適切に区別できるので、高温表示の場合は適切な熱さ対策を採ることができ、低温表示の場合は熱さ対策をすることなく整備作業などをすることができ、作業性を向上できる。
【００１４】
請求項２記載の発明によれば、ポンプ室の側部開閉カバーの取手近傍部分および取手の少なくとも一方に設けられた表示装置が、高温時に発色および変色の少なくとも一方により警告表示をすることで、接触することが可能な低温の場合と注意を要する高温の場合とを適切に区別できるので、ポンプ室内の整備において、高温表示の場合は適切な熱さ対策を採ることができ、低温表示の場合は熱さを気にかけることなく取手を使って効率よく作業をすることができ、作業性を向上できる。
【００１５】
請求項３記載の発明によれば、表示対象面に貼付されるシール本体に、高温時に発色および変色の少なくとも一方により警告表示をする表示部を塗布したので、任意の表示対象面にシール本体を貼付することで、その箇所に高温時の警告表示をする表示部を設置できる。
【００１６】
請求項４記載の発明によれば、表示対象面に、高温時の警告表示をする表示部を直接塗布したので、シール貼付が困難な表示対象面にも表示部を設置できる。
【００１７】
請求項５記載の発明によれば、高温時に表示内容が現われる表示装置により、表示内容が現われない低温表示との対比により高温表示を際立たせることで、確実に注意を喚起できる。
【００１８】
請求項６記載の発明によれば、高温時に表示内容が変化する表示装置により、低温表示と異なる表示内容の高温表示により、確実に注意を喚起できる。
【発明を実施するための最良の形態】
【００１９】
以下、本発明を図１乃至図３に示された実施の形態を参照しながら詳細に説明する。
【００２０】
図３に示されるように、作業機械１は、機体２に作業装置３および動力装置４が搭載され、この動力装置４の一側面部には側部開閉カバー５が設けられている。
【００２１】
動力装置４では、エンジンにより駆動される流体圧ポンプとしての油圧ポンプから、機体２の走行モータ2trおよび旋回モータ2sw、作業装置３のブームシリンダ3bm、アームシリンダ3amおよびバケットシリンダ3bkなどの各油圧アクチュエータに作動流体としての作動油を供給している。
【００２２】
図１には、表示装置11を有する動力装置４の一実施の形態を示し、この動力装置４は、一側面部に側部開閉カバー５が上下方向に開閉自在に設けられ、この側部開閉カバー５の内側にポンプ室６が形成され、このポンプ室６内に流体圧ポンプとしての油圧ポンプ７が収納されている。すなわち、ポンプ室６を覆うように側部開閉カバー５が開閉自在に設けられ、この側部開閉カバー５の下部内側には、整備作業などのときに用いる取手８が設けられている。
【００２３】
この側部開閉カバー５の取手８は、動力装置４の稼働により高温になる可能性を有するとともに外部に露出可能な部分であるから、この側部開閉カバー５の取手近傍部分には、図１（ａ）から（ｂ）に示されるように高温時に発色および変色の少なくとも一方により警告表示をする表示装置11が設けられている。
【００２４】
この表示装置11は、側部開閉カバー５の表示対象面5aに粘着剤などにより貼付されるシール本体11aと、このシール本体11aに塗布されて高温時に発色および変色の少なくとも一方により警告表示をする表示部11bとを具備している。塗布には、印刷も含まれる。
【００２５】
表示部11bは、図１（ａ）に示されるように低温時に表示内容が現われず、図１（ｂ）に示されるように例えば６０℃以上の高温時に表示内容が現われるようにした発色インク、示温インク（感温材）または発色塗料であり、高温時に目視で注意を喚起できる色彩により、警告文または警告絵文字などを表示する。
【００２６】
次に、この図１に示された実施の形態の作用効果を説明する。
【００２７】
整備時に、図１に示されるように側部開閉カバー５を開けてポンプ室６を開放し、このポンプ室６内に設置された油圧ポンプ７およびその周辺部品をメンテナンスする場合は、取手８を握って作業をすることがある。
【００２８】
その際、ポンプ室６の側部開閉カバー５の取手近傍部分に設けられた表示装置11が、高温時に発色および変色の少なくとも一方により警告表示をすることで、接触することが可能な低温の場合と注意を要する高温の場合とを適切に区別できるので、ポンプ室６内の整備において、高温表示の場合は適切な熱さ対策を採ることができ、低温表示の場合は熱さを気にかけることなく取手８を使って効率よく作業をすることができ、作業性を向上できる。
【００２９】
また、この表示装置11は、表示対象面5aに貼付されるシール本体11aに、高温時に発色および変色の少なくとも一方により警告表示をする表示部11bを塗布したので、側部開閉カバー５の取手近傍部分に限らず、任意の表示対象面にシール本体11aを貼付することで、その箇所に高温時の警告表示をする表示部11bを設置できる。
【００３０】
さらに、図１（ｂ）に示されるように高温時に表示内容が現われるので、図１（ａ）に示されるように表示内容が現われない低温表示との対比により高温表示を際立たせることで、確実に注意を喚起できる。
【００３１】
次に、図２は、表示装置12の他の実施の形態を示し、この表示装置12は、高温時に表示内容が変化するものである。
【００３２】
この表示装置12は、表示対象面に貼付される共通のシール本体12a上に、図２（ａ）に示されるように低温時に発色して低度の警告表示をする表示部12bと、図２（ｂ）に示されるように高温時に発色して高度の警告表示をする表示部12cとが塗布（印刷も含む）されたものである。表示部12bと表示部12cは、一方が現われているときは他方が消えており、表示内容が全く異なるものである。
【００３３】
これによれば、高温時に表示内容が変化し、表示部12bの低温表示と異なる表示内容の表示部12cの高温表示により、確実に注意を喚起できる。
【００３４】
次に、図示されない別の実施の形態を説明する。
【００３５】
表示装置11，12は、側部開閉カバー５の取手近傍部分と共に、または取手近傍部分の替わりに、取手８にも同様のものを設けても良い。
【００３６】
表示装置11，12は、動力装置４の稼働により高温になる可能性を有するとともに外部に露出可能な部分であれば、上記の側部開閉カバー５の取手近傍部分に限定されるものではない。
【００３７】
例えば、冷却水温の上昇とともに温度上昇するラジエターキャップ、作動油タンクに付随するフィルタなどの、動作直後の交換の際に加熱している部分に適用すると、効果的である。
【００３８】
さらに、ブームシリンダ3bmなどに作動油を供給する油圧配管は、高温の油温により加熱されて熱くなっているが、メンテナンス作業中に何気なく手摺として使用してしまうことがあるので、有効である。
【００３９】
また、表示装置は、表示対象面に発色塗料などを直接塗布して、高温時に発色および変色の少なくとも一方により警告表示をする表示部を、直に形成しても良い。
【００４０】
これによれば、表示対象面に、高温時の警告表示をする表示部を直接塗布するので、シール貼付が困難な表示対象面にも表示部を設置できる。
【００４１】
このように、動力装置４の稼働により高温になる可能性を有するとともに外部に露出可能な部分に設けられた表示装置11，12が、高温時に発色および変色の少なくとも一方により警告表示をすることで、接触することが可能な低温の場合と注意を要する高温の場合とを適切に区別できるので、高温表示の場合は適切な熱さ対策を採ることができ、低温表示の場合は熱さ対策をすることなく整備作業などをすることができ、作業性を向上できる。
【００４２】
本発明は、図３に示された油圧ショベルだけでなく、他の作業機械にも利用可能である。
【図面の簡単な説明】
【００４３】
【図１】本発明に係る作業機械に表示装置を設置した一実施の形態を示す斜視図であり、（ａ）は低温時の表示装置を示し、（ｂ）は高温時の表示装置を示す。
【図２】同上表示装置の他の実施の形態を示す正面図であり、（ａ）は低温時の表示装置を示し、（ｂ）は高温時の表示装置を示す。
【図３】同上作業機械の側面図である。
【図４】従来の作業機械に表示装置を設置した場合の斜視図である。
【符号の説明】
【００４４】
２    機体
３    作業装置
４    動力装置
５    側部開閉カバー
６    ポンプ室
７    流体圧ポンプとしての油圧ポンプ
８    取手
11，12    表示装置
11a，12a  シール本体
11b，12b，12c    表示部
【図１】
2007186863.tif 000003
【図２】
2007186863.tif 000004
【図３】
2007186863.tif 000005
【図４】
2007186863.tif 000006